(57)【要約】  本発明は、一般には建築物のシールドとして使用するように特に構築されるが、航空機、船舶、軍事車両およびシールドシステムを必要とする他の適用例を遮蔽するためにも使用できる複合材料のプレートに関する。建築用シールドプレートは、鋼板（１１）であって、その背面に、可撓性の弾性変形要素（１３）が設置され、垂直壁（２０）に設置されたときに、プレート（１０）のための平衡支持を提供するのに都合がよいように分布しており、その前面または正面の仕上げ層（１２）によって覆われている、鋼板（１１）からなる。【選択図】図１
2018524503.tif 000002
【特許請求の範囲】
【請求項１】
建築用シールドプレートにおいて、前記建築用シールドプレートが、鋼板（１１）であって、その背面に、可撓性の弾性変形要素（１３）が設置され、垂直壁（２０）に設置されたときに、前記プレート（１０）のための平衡支持を提供するのに都合がよいように分布しており、その前面または正面の仕上げ層（１２）によって覆われている、鋼板（１１）からなることを特徴とする、建築用シールドプレート。
【請求項２】
前記可撓性の弾性変形要素（１３）が、適切な耐衝撃性を提供する任意の材料で作製された渦巻ばねであることを特徴とする、請求項１に記載の建築用シールドプレート。
【請求項３】
前記可撓性の弾性変形要素（１３）が、適切な耐衝撃性を提供する圧縮空気を含むカプセル型の含気性要素であることを特徴とする、請求項１に記載の建築用シールドプレート。
【請求項４】
前記弾性変形要素（１３）の数が、少なくとも５つであり、それらのうちの４つが、それらの頂点の先端領域にあり、１つの要素が、前記鋼板（１１）の中央領域にあるように分布していることを特徴とする、請求項２または３の記載の建築用シールドプレート。
【請求項５】
仕上げプレート（１２）は、繊維と改良されたた石膏との混合物で作製される、あるいは、乾式壁中に作製されることを特徴とする、請求項１に記載の建築用シールドプレート。
【請求項６】
前記プレート（１０）は、最大３ｍｍ厚であることを特徴とする、請求項１に記載の建築用シールドプレート。
【請求項７】
前記プレート（１０）は、約７〜１２ｃｍのシールド厚さにおいて、約１２０Ｋｇｆ／ｍ2の本体重量を成すように構築されることを特徴とする、請求項１に記載の建築用シールドプレート。
【請求項８】
ハウジングを生成するために構造に対する周縁コーティングとして、既存の建築物ヴまたは建設中の建築物に適用されることを特徴とする、請求項１から７のいずれかに記載の建築用シールドプレート。
【請求項９】
前記垂直壁（２０）もまた、乾式壁中に製作されることを特徴とする、請求項１に記載の建築用シールドプレート。
【請求項１０】
前記垂直壁（２０）が、乾式壁中に製作された、その前面または正面の仕上げ層（１２）によって覆われた同一の鋼板構造（１１）を有することを特徴とする、請求項１に記載の建築用シールドプレート。
【発明の詳細な説明】
【技術分野】
【０００１】
本発明は、一般には建築物のシールドとして使用するように特に構築されるが、航空機、船舶、軍事車両およびシールドシステムを必要とする他の適用例を遮蔽するためにも使用できる複合材料のプレートに関する。より詳細には、建築用シールドプレートは、市場で通常入手可能な対弾道材料と比較して製作および組み付けが簡単な構造を有する。
【０００２】
本発明による建築用シールドプレートは、特に有利には、領事館、大使館、銀行、金庫、セキュリティセル、航空機の操縦室の出入口、オイルプラットフォームまたは化学工業施設に対する退避ルートなどのような、価値のある生命、組織および資産の保護を提供するのに適した使用法である、弾道の接触、発火、侵入および爆発に対する保護を提供するために使用される。
【背景技術】
【０００３】
一般的なシールドでは、建築用シールドに関して、いくつかの材料が使用され、専門の会社により、多くの解決策および特別なプロジェクトが提案されている。しかしながら、プロジェクトおよび建築物は、常に、極めて重く厚い材料に基づいて実施される。典型的な例は、厚さが５０ｃｍのオーダーであり、重量が８００ｋｇｆ／ｍ2のオーダーであるシールド材料を使用するものである。明らかに、かかる材料は、それらのサイズおよび重量に起因して、取り扱いおよび設置が難しく、極めて高価である。さらに、これらの構造が極めて頑強であることを理由に、航空機、船舶および軍事車両のような特定の適用例では使用できない。
【０００４】
さらに、負荷が予測不能に増大する場所で先行技術によるシールドを使用することは完全に実行不可能になり、柔軟性のない剛性の材料を利用するので、従来の構造に適応することができなくなり、その建築を目的としては、また、人々の保護には非効率的となる。例えば、シールドされた壁の構造での適用時、任意の挿入時、あるいは、扉または窓のような、最初の組み付けでは提供されない何らかのアクセサリまたは構成要素を配置するために必要とされるとき、介入が促進された仕上げと材料との適切な照合を促進するために、シールドアプリケータを必要としなければならない。
【発明の概要】
【０００５】
このように考慮して、発射体の回転、したがって、その穿孔力を減少させる発射体中の水分子の摩擦に基づく化学反応に基づく本発明の建築用シールドプレートオブジェクト、ならびに建築物または任意の他の適用例に設置したときに実際には知覚できないままにする軽量で薄型の最終製品が開発される。
【０００６】
本発明の建築用シールドプレートオブジェクトの複合材料は、スチールブレード層と、可撓性または弾性の固定要素と、プレート仕上げ層とを備え、それらは全て、極めて軽量で薄い本体を形成するように構築される。例えば、前記可撓性または弾性の固定要素は、複合材料構造の加工性に伴うようになっており、限定するものではないが、ばね、または圧縮空気カプセルなどの含気性要素の様々な種類のものとすることができることを留意されたい。
【０００７】
本発明の建築用シールドプレートオブジェクトについて、以下の添付の概略図に基づいて詳細に説明する。
【図面の簡単な説明】
【０００８】
【図１】本発明による建築用シールドプレートの斜視図である。
【図２】図１に示したシールドプレートの側面図である。
【図３】図１に示したシールドプレートの分解斜視図である。
【図４】本発明によるシールドプレートと組み付けられた建築物の図である。
【発明を実施するための形態】
【０００９】
図１に示すように、本発明の建築用シールドプレート（１０）オブジェクトは、鋼板（１１）で作製されており、その背面には、垂直壁（２０）に設置された時にプレート（１０）に平衡支持を提供するのに都合がよいように分布している可撓性の弾性変形要素（１３）が設置されるのが好都合である。前記鋼板（１１）は、その前面または正面を仕上げ層（１２）によって覆われている。有利には、可撓性の弾性変形要素（１３）は、垂直壁構造（２０）に対する衝撃を回避するために圧迫変形する、特に発射体（銃の弾丸）の衝撃に対する適切な衝撃強度を提供する任意の材料で作製された渦巻ばねである。建築用シールドプレート（１０）の背面の可撓性の弾性変形要素（１３）の数および形状、ならびに分布間隔は、確立されたシールドプロジェクトに従って確立される。基本ユニットとしては、可撓性の弾性変形要素（１３）の数は少なくとも５つであり、それらのうちの４つが、それらの頂点の先端領域にあり、１つの要素が鋼板（１１）の中央領域にあるように分布しているのが好適である。代替的には、前記可撓性の弾性変形要素（１３）は、圧縮空気を含むカプセル型の含気性要素である。
【００１０】
仕上げプレート１２は、軽量材料で作製され、取り扱いが簡単でなければならず、仕上げの美観を最適にし、塗装適用例などの他の仕上げ作業を可能にすることができる。仕上げプレート（１２）に適した材料は、限定はしないが、例えば、繊維ブレンド、選鉱石膏、または乾式壁として商業的に知られている材料である。仕上げ層（１２）は、亜鉛めっき鋼のプロファイルが薄いが軽量の構造にねじ係合されたプラスタボードからなる乾式壁中にあり、固定システムを通る電気構成要素および油圧構成要素の設置が可能になることが好ましい。さらに、乾式壁で作製された仕上げ層（１２）は、プレート（１０）の鉄骨構造に完璧に適応する。垂直壁（２０）もまた、乾式壁中に製作されるのが有利である。垂直壁（２０）は、好ましくは同じく乾式壁中に製作された、その前面または正面の仕上げ層（１２）によって覆われた同じ鋼板構造（１１）を有するのがなお一層有利である。
【００１１】
所望の保護レベルに応じて２重シールド、３重シールドなどを形成するように、シールドプロジェクトに応じて、建築用シールドプレート（１０）をさらに設置することができる。しかしながら、単一のプレート（１０）が、適切な保護を提供するのに十分であることが好ましい。
【００１２】
建築用シールドプレート（１０）は、シールドプロジェクトに応じた任意の厚さ寸法を有し得るが、建築用シールドプレート（１０）の厚みは、最大３ｍｍであることが好ましい。
【００１３】
有利には、本発明の建築用シールドプレート（１０）オブジェクトは、約７〜１２ｃｍのシールド厚さにおいて、約１２０Ｋｇｆ／ｍ2の本体重量を成すように構築される。
【００１４】
上述した本発明の建築用シールドプレートオブジェクトの構築、使用中、発射体によって攻撃されると、仕上げ層（１２）は、発射体における摩擦を引き起こして、その回転を低下させ、結果として、プレートアセンブリ（１０）の穿孔が防止される。
【００１５】
図４は、最弱から最強までの様々なシールドレベル（Ａ、Ｂ、Ｃ）の本発明の建築用シールドプレート（１０）オブジェクトを使用するセキュリティシステムを備えた従来の壁建築物（Ｚ）を構築する形態を示す。しかしながら、複数の建築用シールドプレート（１０）を活用することによって、ここでは示されていない他のシールドレベルを得ることができることを留意されたい。
【００１６】
さらに、火を伝搬せず、高温にさらされたときにその性能を変えないことによって、仕上げ層（１２）は、壁／コーティング構造が、この極めて不利なシナリオに屈しないように、スチールブレード（１１）を保護することが強調される。同じことが進入の試行時に起こり、任意の急峻な穴の開いた可燃性のオブジェクトなどによる侵襲の試行があるので、可鍛特性と自消特性との組み合せにより、シールドシステムの穴開けおよび転位が防止される。
【００１７】
火に直接接した場合、仕上げ層（１２）の構成部品の、スタティックな構造を保護し維持して、耐直火時間にわたってその完全性を確保するデュアル性能も存在する。
【００１８】
したがって、あらゆる環境を、シールド型セキュリティセルの作製、あるいはその環境全体の構造およびシールドによって保護することができる。また、すでに建築されたまたは建設中の何らかの場所において建築用シールドプレート（１０）を適用することが可能であり、シールドは、構造に対する周縁コーティングとして適用され、ハウジングを生成する。
【００１９】
本発明の建築用シールドプレート（１０）オブジェクトが適用されると、その中の人および／または財産が、発火、進入および爆発など、民生使用または軍事使用の火器の起こり得る発射から保護され、安全である。
【００２０】
さらに、本発明のシールドプレートオブジェクトは、輸送および取り扱いが簡単であり、迅速な設置と、構造的補強ならびに高温および悪天候への耐性としての優れた性能とを提供することが分かった。
【図１】
2018524503.tif 000003
【図２】
2018524503.tif 000004
【図３】
2018524503.tif 000005
【図４】
2018524503.tif 000006
【国際調査報告】
2018524503.tif 000007
2018524503.tif 000008
2018524503.tif 000009
2018524503.tif 000010